(57)【要約】      （修正有）【課題】レジカウンターにおいて商品を移し換える先のレジカゴに設置する買物用バッグにおいて、レジカゴへの設置を容易に行なうことができ、かつ、バッグの開口部を閉じた際に紐部材等の部材が邪魔となることがない買物用バッグを提供する。【解決手段】買物用バッグＡは、バッグ本体１０と、把手部２２、２４を有し、バッグ本体１０は、袋状部１１と、剛性付与部３０、４０と、着脱部５０とを有し、剛性付与部３０、４０には、プレート部が設けられ、右側面部１６と左側面部２０の上端には、スリーブ状部１６ａ、２０ａが形成され、内部にゴム等の弾性部材が設けられている。また、剛性付与部３０の内側にはループテープ５２が設けられ、剛性付与部４０の内側にはフックテープ５４が設けられている。【選択図】図１
0003142200.tif 000002
【実用新案登録請求の範囲】
【請求項１】
販売店舗で使用されるレジカゴに収納して使用する買物用バッグであって、
バッグ本体と、把手部とを有し、
バッグ本体は、
折畳み可能な柔軟性を有するシート状部材により形成され、方形状の底面部と、底面部の正面側の辺部から立設した四角形状の正面部と、底面部の右側面側の辺部から立設した四角形状の右側面部と、底面部の背面側の辺部から立設した四角形状の背面部と、底面部の左側面側の辺部から立設した四角形状の左側面部とを有し、右側面部の上端と左側面部の上端に弾性部材が設けられ、該弾性部材が右側面部と左側面部とを横方向に縮める方向の付勢している袋状部と、
正面部の上端領域に設けられた第１剛性付与部で、正面部の外側の面の上端領域に接して設けられた第１プレート部と、第１プレート部を被覆して袋状部に固着し、柔軟性を有するシート状部材により形成された第１被覆部材と、を有する第１剛性付与部と、
背面部の上端領域に設けられた第２剛性付与部で、背面部の外側の面の上端領域に接して設けられた第２プレート部と、第２プレート部を被覆して袋状部に固着し、柔軟性を有するシート状部材により形成された第２被覆部材と、を有する第２剛性付与部と、
正面部の上端領域の内側に設けられたループテープとフックテープの一方と、背面部の上端領域の内側に設けられたループテープとフックテープの他方とからなる着脱部と、
を有し、
把手部は、
正面部の上端に設けられ、帯状を呈し、両側の端部が正面部の上端に所定の間隔を介して設けられた第１把手部と、
背面部の上端に設けられ、帯状を呈し、両側の端部が背面部の上端に所定の間隔を介して設けられた第２把手部と、
を有することを特徴とする買物用バッグ。
【請求項２】
上記プレート部は、木材又は硬化プラスチックにより形成されていることを特徴とする請求項１に記載の買物用バッグ。
【請求項３】
上記右側面部と左側面部の上端は、スリーブ状に折り返して形成してなるスリーブ状部が設けられ、弾性部材は、該スリーブ状部の内部に設けられていることを特徴とする請求項１又は２に記載の買物用バッグ。
【請求項４】
第１把手部と第２把手部のいずれかには、方形状のシート状の巻き付け片部が設けられ、巻き付け片部の一方の面の把手部に近い側である一方の端部には、ループテープとフックテープの一方により構成された第１着脱部材が設けられているとともに、巻き付け片部における他方の面の他方の端部には、ループテープとフックテープの他方により構成された第２着脱部材が設けられ、第１剛性付与部の第１被覆部材又は第２剛性付与部の第２被覆部材には、ループテープとフックテープの上記一方により構成された第３着脱部材が設けられ、第２着脱部材を第１着脱部材に接着することにより２つの把手部を束ねることができ、袋状部を巻回した状態で、第２着脱部材を第３着脱部材に接着することにより買物用バッグを巻回した状態とすることができることを特徴とする請求項１又は２又は３に記載の買物用バッグ。
【考案の詳細な説明】
【技術分野】
【０００１】
本考案は、買物用バッグに関するものであり、特に、レジカウンターにおいて商品を移し換える先のレジカゴに設置する買物用バッグに関するものである。
【背景技術】
【０００２】
従来より、レジカウンターにおいて商品を移し換える先のレジカゴに設置する買物用バッグが存在する。つまり、スーパーマーケット等の店舗において、購入者は店舗に設置してあるレジカゴを持って店舗内を移動し、購入する商品をレジカゴに入れてレジカウンターに向かう。レジカウンターにおいては、店員が他のレジカゴに商品を移し換えながらレジカウンターにおける精算作業を行うが、その際、商品を移し換える先のレジカゴに該買物用バッグを設置しておき、レジカゴ内に設置された買物用バッグに商品を移し換えることにより、別途レジカゴから袋へのさらなる商品の移し換えを必要としないものとすることができる。
【０００３】
このような買物用バッグとして、バッグの上端に巾着状の被覆部材を有するものとして特許文献１に記載の買い物用バッグや、そのような巾着状の被覆部材を有さないものとして特許文献２や特許文献３に記載の手提袋が存在する。
【０００４】
また、特許文献１の構成において、商品を収納した状態でバッグの開口部を閉じるために被覆部材２０の先端に紐部材２４が設けられており、特許文献２、３の構成においても、袋の上端を紐により袋の開口部を閉じることができるようになっている。
【特許文献１】登録実用新案第３０６５８４８号公報
【特許文献２】意匠登録第１０８００６９号公報
【特許文献３】意匠登録第１０９８６７５号公報
【考案の開示】
【考案が解決しようとする課題】
【０００５】
しかし、特許文献１のように巾着状の被覆部材が設けられている場合には、該被覆部材はバッグ本体の上端から比較的長く形成されていることから、被覆部材をレジカゴの外側に全て広げるのは容易ではない。
【０００６】
また、特許文献２や特許文献３の手提袋のように巾着状の被覆部材を有さない場合においても、袋の上端部分をレジカゴの外側に折り返す作業が面倒であるという問題があった。
【０００７】
特に、上記のようにレジカウンターにおいて使用する買物用バッグは、特に、レジカウンターに購入者が多数並んでいる場合には、商品を移し換える先のレジカゴに素早く設置しなければならず、容易にレジカゴに設置できるものである必要がある。
【０００８】
また、特許文献１〜３の構成においては、商品を収納した状態でバッグの開口部を閉じる紐部材が設けられているが、商品を収納して紐を引っ張って開口部を閉じた際に、紐部材が邪魔になるという問題があった。
【０００９】
そこで、本考案が解決しようとする問題点は、レジカウンターにおいて商品を移し換える先のレジカゴに設置する買物用バッグにおいて、レジカゴへの設置を容易に行なうことができ、かつ、バッグの開口部を閉じた際に紐部材等の部材が邪魔となることがない買物用バッグを提供することである。
【課題を解決するための手段】
【００１０】
本考案は上記問題点を解決するために創作されたものであって、第１には、販売店舗で使用されるレジカゴに収納して使用する買物用バッグであって、バッグ本体と、把手部とを有し、バッグ本体は、折畳み可能な柔軟性を有するシート状部材により形成され、方形状の底面部と、底面部の正面側の辺部から立設した四角形状の正面部と、底面部の右側面側の辺部から立設した四角形状の右側面部と、底面部の背面側の辺部から立設した四角形状の背面部と、底面部の左側面側の辺部から立設した四角形状の左側面部とを有し、右側面部の上端と左側面部の上端に弾性部材が設けられ、該弾性部材が右側面部と左側面部とを横方向に縮める方向の付勢している袋状部と、正面部の上端領域に設けられた第１剛性付与部で、正面部の外側の面の上端領域に接して設けられた第１プレート部と、第１プレート部を被覆して袋状部に固着し、柔軟性を有するシート状部材により形成された第１被覆部材と、を有する第１剛性付与部と、背面部の上端領域に設けられた第２剛性付与部で、背面部の外側の面の上端領域に接して設けられた第２プレート部と、第２プレート部を被覆して袋状部に固着し、柔軟性を有するシート状部材により形成された第２被覆部材と、を有する第２剛性付与部と、正面部の上端領域の内側に設けられたループテープとフックテープの一方と、背面部の上端領域の内側に設けられたループテープとフックテープの他方とからなる着脱部と、を有し、把手部は、正面部の上端に設けられ、帯状を呈し、両側の端部が正面部の上端に所定の間隔を介して設けられた第１把手部と、背面部の上端に設けられ、帯状を呈し、両側の端部が背面部の上端に所定の間隔を介して設けられた第２把手部と、を有することを特徴とする。
【００１１】
上記第１の構成の買物用バッグにおいては、ユーザは、販売店舗に設置したレジカゴをもって店舗内を移動し、該レジカゴに購入する商品を入れていく。購入すべき商品をレジカゴに入れたら、レジカウンターにおいて、レジカゴに入っている商品を他のレジカゴに移し換えながらレジにおける精算作業を行なうが、ユーザは、本発明の買物用バッグを商品を移し換える先のレジカゴに設置する。
【００１２】
レジカゴへの設置に際しては、買物用バッグの袋状部をレジカゴに入れ、正面部の上端部分を一方の手で持つとともに、背面部の上端部分を他方の手で持って、正面部の上端部分と背面部の上端部分とを、右側面部と左側面部の弾性部材の付勢力に抗して離間するように引っ張り、その後、正面部の上端部分（つまり、第１剛性付与部が設けられている部分）の内側が外側になるように正面部のレジカゴ内の部分に対して外側に折り返して、正面部の上端部分をレジカゴの外側の面に位置させ、さらに、背面部の上端部分の内側が外側になるように背面部のレジカゴ内の部分に対して外側に折り返し、背面部の上端部分（つまり、第２剛性付与部が設けられている部分）をレジカゴの外側の面に位置させることにより、正面部の上端部分と背面部の上端部分を持つ手を放すことにより、弾性部材の付勢力により正面部の上端部分と背面部の上端部分とがレジカゴの外側の面に固定されて、買物用バッグＡがレジカゴ内に設置される。よって、極めて簡単な操作で買物用バッグをレジカゴに設置することができ、特に、買物用バッグには、第１剛性付与部と第２剛性付与部が設けられているので、正面部の上端と背面部の上端をレジカゴの外側に位置させるのが非常に容易となり、また、弾性部材が設けられているので、買物用バッグをレジカゴに容易に固定することができる。
【００１３】
また、第２には、上記第１の構成において、上記プレート部は、木材又は硬化プラスチックにより形成されていることを特徴とする。よって、プレート部は十分な剛性を有しているので、レジカゴへの設置操作を極めて容易とすることができる。
【００１４】
また、第３には、上記第１又は第２の構成において、上記右側面部と左側面部の上端は、スリーブ状に折り返して形成してなるスリーブ状部が設けられ、弾性部材は、該スリーブ状部の内部に設けられていることを特徴とする。
【００１５】
また、第４には、上記第１から第３までのいずれかの構成において、第１把手部と第２把手部のいずれかには、方形状のシート状の巻き付け片部が設けられ、巻き付け片部の一方の面の把手部に近い側である一方の端部には、ループテープとフックテープの一方により構成された第１着脱部材が設けられているとともに、巻き付け片部における他方の面の他方の端部には、ループテープとフックテープの他方により構成された第２着脱部材が設けられ、第１剛性付与部の第１被覆部材又は第２剛性付与部の第２被覆部材には、ループテープとフックテープの上記一方により構成された第３着脱部材が設けられ、第２着脱部材を第１着脱部材に接着することにより２つの把手部を束ねることができ、袋状部を巻回した状態で、第２着脱部材を第３着脱部材に接着することにより買物用バッグを巻回した状態とすることができることを特徴とする。
【００１６】
よって、商品を入れた買物用バッグを把手部を持って運ぶ場合に、２つの把手部を束ねることができるので便利であり、また、買物用バッグを巻回した状態で固定しておけるので、販売店舗に買物用バッグを持っていく場合や買物用バッグを保管する場合等にコンパクトにしておくことができる。
【考案の効果】
【００１７】
本考案に基づく買物用バッグによれば、極めて簡単な操作で買物用バッグをレジカゴに設置することができ、特に、買物用バッグには、第１剛性付与部と第２剛性付与部が設けられているので、正面部の上端と背面部の上端をレジカゴの外側に位置させるのが非常に容易となり、また、弾性部材が設けられているので、買物用バッグをレジカゴに容易に固定することができる。
【考案を実施するための最良の形態】
【００１８】
本考案においては、レジカウンターにおいて商品を移し換える先のレジカゴに設置する買物用バッグにおいて、レジカゴへの設置を容易に行なうことができ、かつ、バッグの開口部を閉じた際に紐部材等の部材が邪魔となることがない買物用バッグを提供するという目的を以下のようにして実現した。
【００１９】
本考案に基づく買物用バッグＡは、図１〜図３に示すように構成され、バッグ本体１０と、把手部２２、２４を有している。
【００２０】
ここで、バッグ本体１０は、袋状部１１と、剛性付与部３０、４０と、着脱部５０とを有している。
【００２１】
袋状部１１は、袋状を呈し、折畳み可能な柔軟性を有するシート状部材（例えば、布）により形成されていて、方形状でシート状の底面部１２（図６参照）と、底面部１２の正面側の辺部から立設し、台形形状でシート状の正面部１４と、底面部１２の右側面側の辺部から立設し、台形形状でシート状の右側面部１６と、底面部１２の背面側の辺部から立設し、台形形状でシート状の背面部１８と、底面部１２の左側面側の辺部から立設し、台形形状でシート状の左側面部２０と、を有し、正面部１４と右側面部１６と背面部１８と左側面部２０が袋状部１１の側面を構成し、袋状部１１の側面を形成する各部における隣接する部材は互いに接続している。正面部１４と右側面部１６と背面部１８と左側面部２０の形状である台形形状は、上辺の方が下辺よりも長い台形形状となっている。また、袋状部１１を構成する部材において隣接する部材は、互いの境界となる辺部を介して折り畳み可能となっている。正面部１４と背面部１８とは同大同形状に形成され、互いに略平行となっている。また、右側面部１６と左側面部２０とは同大同形状に形成され、互いに略平行となっている。
【００２２】
また、正面部１４の上端領域の背面側には、横方向に補強布１４ａが縫製により固着されている。この補強布１４ａは、長方形状のシート状を呈し、左右方向の幅は、正面部１４の上端領域の左右方向の長さと略同一の長さを有している。補強布１４ａの左右の辺部の左右方向の位置は、正面部１４の左右の辺部と略一致しており、上辺の高さ方向の位置は、正面部１４の上辺と略一致している。
【００２３】
また、背面部１８の上端領域の正面側には、横方向に補強布１８ａが縫製により固着されている。この補強布１８ａは、長方形状のシート状を呈し、左右方向の幅は、背面部１８の上端領域の左右方向の長さと略同一の長さを有している。補強布１８ａの左右の辺部の左右方向の位置は、背面部１８の左右の辺部と略一致しており、上辺の高さ方向の位置は、背面部１８の上辺と略一致している。補強布１４ａと補強布１８ａとは、同大同形状に形成されている。
【００２４】
また、右側面部１６と左側面部２０の高さ方向の長さは、正面部１４や背面部１８の高さ方向の長さよりも短く形成され、右側面部１６の上端位置と左側面部２０の上端位置は、剛性付与部３０、４０の高さ分だけ正面部１４や背面部１８の上端位置よりも低く形成されている。
【００２５】
また、右側面部１６の上端は、右側面部１６を構成するシート状部材をスリーブ状に折り返して縫製することによりスリーブ状部１６ａが形成され、スリーブ状部１６ａの内部にゴム等の弾性部材（図示せず）が収納されていて、該弾性部材の両端は、右側面部１６と正面部１４の境界位置及び右側面部１６と背面部１８の境界位置で固着されている。この弾性部材の長さは、右側面部１６の上端領域が横方向に縮めた長さとなるように設定され、右側面部１６を横方向に広げた状態とするには、弾性部材の付勢力に抗して右側面部１６を横方向に伸ばす必要がある。つまり、弾性部材は、右側面部１６を横方向に縮める方向に付勢している。弾性部材がスリーブ状部１６ａ内に設けられているので、見栄えをよくすることができる。
【００２６】
また、左側面部２０の上端も、右側面部１６の上端と同様に形成されており、左側面部２０を構成するシート状部材をスリーブ状に折り返して縫製することによりスリーブ状部２０ａが形成され、スリーブ状部２０ａの内部にゴム等の弾性部材（図示せず）が収納されていて、該弾性部材の両端は、左側面部２０と正面部１４の境界位置及び左側面部２０と背面部１８の境界位置で固着されている。この弾性部材の長さは、左側面部２０の上端領域が横方向に縮めた長さとなるように設定され、左側面部２０を横方向に広げた状態とするには、弾性部材の付勢力に抗して左側面部２０を横方向に伸ばす必要がある。つまり、弾性部材は、左側面部２０を横方向に縮める方向に付勢している。弾性部材がスリーブ状部２０ａ内に設けられているので、見栄えをよくすることができる。
【００２７】
なお、正面部１４と右側面部１６と背面部１８と左側面部２０とは台形形状であるとしたが、方形状その他の四角形であればよい。
【００２８】
また、剛性付与部（剛性部としてもよい）３０（第１剛性付与部）は、正面部１４の上端領域に剛性を与える部材であり、正面部１４の上端領域の正面側に設けられ、プレート部３２と、プレート部３２を被覆する被覆部材３４とを有している。
【００２９】
このプレート部３２は、正面部１４の上端領域の左右方向の長さと略同一（又は若干短い）の長さを有する帯板状（略長方形状の板状としてもよい）を呈し、可撓性がない又は小さい部材（例えば、硬化プラスチック又は木材）により形成されている。このプレート部３２は、正面部１４の上端領域の正面側（つまり、正面部１４の外側）に接して設けられている。
【００３０】
また、被覆部材３４は、略長方形状を呈し、布等の柔軟性を有するシート状部材により形成され、プレート部３２を被覆している。被覆部材３４の左右の辺部の左右方向の位置は、正面部１４の左右の辺部と略一致しており、上辺の高さ方向の位置は、正面部１４の上辺と略一致しており、下辺の高さ方向の位置は、補強布１４ａの下辺と略一致している。つまり、被覆部材３４の辺部に沿って正面部１４に縫製して固着され、プレート部３２は、正面部１４と被覆部材３４の間に収納されている。
【００３１】
また、剛性付与部（剛性部としてもよい）４０（第２剛性付与部）は、背面部１８の上端領域に剛性を与える部材であり、上記剛性付与部３０と同様の構成である。すなわち、剛性付与部４０は、背面部１８の上端領域の背面側に設けられ、プレート部４２と、プレート部４２を被覆する被覆部材４４とを有している。
【００３２】
このプレート部４２は、背面部１８の上端領域の左右方向の長さと略同一（又は若干短い）の長さを有する帯板状（略長方形状の板状としてもよい）を呈し、可撓性がない又は小さい部材（例えば、硬化プラスチック又は木材）により形成されている。このプレート部４２は、背面部１８の上端領域の背面側（つまり、背面部１８の外側）に接して設けられている。
【００３３】
また、被覆部材４４は、略長方形状を呈し、布等の柔軟性を有するシート状部材により形成され、プレート部４２を被覆している。被覆部材４４の左右の辺部の左右方向の位置は、背面部１８の左右の辺部と略一致しており、上辺の高さ方向の位置は、背面部１８の上辺と略一致しており、下辺の高さ方向の位置は、補強布１８ａの下辺と略一致している。つまり、被覆部材４４の辺部に沿って背面部１８に縫製して固着され、プレート部４２は、背面部１８と被覆部材４４の間に収納されている。
【００３４】
なお、プレート部３２、４２の可撓性については、可撓性がなくてもよいが、買物用バッグＡをレジカゴに設置する際に支障とならない程度の可撓性を有していてもよく、正面部１４の上端部分を一方の手で持つとともに、背面部１８の上端部分を他方の手で持って、正面部１４の上端部分と背面部１８の上端部分とを離間するように引っ張り、正面部１４の上端部分をレジカゴの外側の面に位置させるように、正面部１４の上端部分の内側が外側になるように正面部１４のレジカゴ内の部分に対して外側に折り返すことができる可撓性をプレート部３２が有していてもよく、さらに、背面部１８の上端部分をレジカゴの外側の面に位置させるように、背面部１８の上端部分の内側が外側になるように背面部１８のレジカゴ内の部分に対して外側に折り返すことができる可撓性をプレート部４２が有していてもよい。
【００３５】
なお、被覆部材４４の背面側の略中央付近には、略長方形状のループテープ６６（第３着脱部材）が縫製により固着されている。このループテープ６６は、把手部２４に取り付けられた巻き付け布６０に設けられたフックテープ６２と着脱自在となるものであり、その横方向の長さは、フックテープ６２の横方向の長さ（長辺側の長さ）と略同一となっている。なお、ループテープ６６は、正面側、すなわち、被覆部材３４の正面側に設けてもよい。
【００３６】
また、着脱部５０は、いわゆる面ファスナーにより形成され、ループテープ５２とフックテープ５４とを有している。ループテープ５２は、補強布１４ａの背面側に縫製により固着され、略長方形状を呈し、左右方向には、正面部１４の左右方向の長さと略同一の長さを有していて、高さ方向には、補強布１４ａの高さ方向の長さよりも若干短く形成されている。フックテープ５４は、補強布１８ａの正面側に縫製により固着され、略長方形状を呈し、左右方向には、背面部１８の左右方向の長さと略同一の長さを有していて、高さ方向には、補強布１８ａの高さ方向の長さよりも若干短く形成されている。
【００３７】
ループテープ５２とフックテープ５４とは互いに着脱自在となっていて、両者を接着することにより、バッグ本体１１の開口部が閉状態となる。
【００３８】
なお、ループテープ５２が正面部１４側に設けられ、フックテープ５４が背面部１８側に設けられているとしたが、逆でもよく、ループテープ５２が背面部１８側に設けられ、フックテープ５４が正面部１４側に設けられていてもよい。
【００３９】
また、把手部２２（第１把手部）は、帯状の布部材であり、正面部１４の上端に設けられている。すなわち、把手部２２の両側の端部が正面部１４の上端に固着されている。正面部１４の上端への固着に際しては、図３に示すように、正面部１４と補強布１４ａ間に挟まれた状態で縫製により固着されている。
【００４０】
また、把手部２４（第２把手部）は、帯状の布部材であり、背面部１８の上端に設けられている。すなわち、把手部２４の両側の端部が背面部１８の上端に固着されている。背面部１８の上端への固着に際しては、図３に示すように、背面部１８と補強布１８ａ間に挟まれた状態で縫製により固着されている。
【００４１】
なお、図３に示すように、被覆部材３４と、正面部１４と、ループテープ５２が予め設けられた補強布１４ａとが縫製糸Ｇにより一体に固着されている。また、同様に、被覆部材４４と、背面部１８と、フックテープ５４が予め設けられた補強布１８ａとが縫製糸Ｇにより一体に固着されている。
【００４２】
また、把手部２４の略中間位置には、方形状で布等のシート状部材により形成された巻き付け片部６０が取り付けられている。すなわち、巻き付け片部６０の端部が把手部２４に縫製により固着され、該巻き付け片部６０における把手部２４に固着されている側の端部には、帯状にループテープ６２（第１着脱部材）が設けられている。つまり、ループテープ６２は、巻き付け片部６０の幅と略同一の幅を有し、巻き付け片部６０における把手部２４の取付け領域と反対側の面に取り付けられている。
【００４３】
また、巻き付け片部６０におけるループテープ６２が設けられている面とは反対側で、ループテープ６２が設けられている側とは反対側の端部に、フックテープ６４（第２着脱部材）が設けられている。つまり、フックテープ６４は、巻き付け片部６０の幅と略同一の幅を有している。
【００４４】
また、巻き付け片部６０の長さは、バッグ本体１０を巻回した状態で、巻き付け片部６０を巻回状態のバッグ本体１０に巻き付けた場合に、フックテープ６４がループテープ６６に接着できるだけの長さとなっている。
【００４５】
上記構成の買物用バッグＡの使用状態について説明する。ユーザは、スーパーマーケット等の店舗に行く際に、買物用バッグＡを持っていき、店舗（販売店舗）に設置したレジカゴをもって店舗内を移動し、該レジカゴに購入する商品を入れていく。購入すべき商品をレジカゴに入れたら、レジカウンターに移動する。レジカウンターでは、レジカゴに入っている商品を他のレジカゴに移し換えながらレジにおける精算作業を行なうが、ユーザは、買物用バッグＡを商品を移し換える先のレジカゴに設置する。
【００４６】
レジカゴへの設置に際しては、買物用バッグＡの袋状部１１をレジカゴに入れ、正面部１４の上端部分（つまり、剛性付与部３０の箇所）を一方の手で持つとともに、背面部１８の上端部分（つまり、剛性付与部４０の箇所）を他方の手で持って、正面部１４の上端部分と背面部１８の上端部分とを、右側面部１６と左側面部２０の弾性部材の付勢力に抗して離間するように引っ張る。その後、正面部１４の上端部分の内側が外側になるように正面部１４のレジカゴ内の部分に対して外側に折り返して、正面部１４の上端部分をレジカゴの外側の面に位置させ、さらに、背面部１８の上端部分の内側が外側になるように背面部１８のレジカゴ内の部分に対して外側に折り返し、背面部１８の上端部分をレジカゴの外側の面に位置させる。その後、正面部１４の上端部分を持つ手と背面部１８の上端部分を持つ手を放す。
【００４７】
すると、右側面部１６と左側面部２０の弾性部材の付勢力により、袋状部１１が、正面部１４と背面部１８間の距離を縮めるように引っ張られ、正面部１４の上端部分と背面部１８の上端部分とがレジカゴの外側の面に固定されて、図４に示すように、買物用バッグＡがレジカゴ内に設置される。
【００４８】
以上のように、買物用バッグＡをレジカゴへ設置したら、レジカゴ内に設置された買物用バッグＡに商品を移し換えて、レジカウンターでの精算作業を行う。
【００４９】
レジカウンターでの精算が完了したら、買物用バッグＡをレジカゴから取り出せばそのまま商品が収納された買物用バッグＡを持ち帰ればよい。買物用バッグＡには、着脱部５０が設けられているので、図５に示すように、ループテープ５２とフックテープ５４とを接着させることによりバッグ本体１０の開口部を閉状態とすることができる。買物用バッグＡの持ち運びに際しては、把手部２２、２４を持てばよく、把手部２４に取り付けられた巻き付け片部６０を把手部２２に巻き付けて、巻き付け片部６０のフックテープ６４をループテープ６２に接着させることにより把手部２２、２４を束ねておくことができる。商品を収納した買物用バッグＡを持ち帰ったら、商品を買物用バッグＡから取り出す。
【００５０】
買物用バッグＡを保管又は運搬するために買物用バッグＡをコンパクトな形状にしておくには、買物用バッグＡを巻回状態にしておく。
【００５１】
すなわち、図６に示すように、正面部１４側を上にして載置し、把手部２４は外側に伸ばすとともに、把手部２２を正面部１４の上面側に折り返した状態とする。
【００５２】
その後、袋状部１１の下端側を上端側に向けて巻回していく。袋状部１１を巻回する際には、把手部２２を巻き込んだ状態で巻回し、図７に示す状態とする。
【００５３】
その後、把手部２４を巻回された状態の袋状部１１の上方から巻き付け、巻き付け片部６０に設けられたフックテープ６４を背面部１８の上端位置に設けられたループテープ６６に接着させて、買物用バッグＡを巻回状態にする（図８、図９）。
【００５４】
以上のように、買物用バッグＡによれば、レジカゴに設置する際に、正面部１４の上端部分を一方の手で持つとともに、背面部１８の上端部分を他方の手で持って、正面部１４の上端部分と背面部１８の上端部分とを離間するように引っ張り、その後、正面部１４の上端部分の内側が外側になるように正面部１４のレジカゴ内の部分に対して外側に折り返して、正面部１４の上端部分をレジカゴの外側の面に位置させ、さらに、背面部１８の上端部分の内側が外側になるように背面部１８のレジカゴ内の部分に対して外側に折り返し、背面部１８の上端部分をレジカゴの外側の面に位置させることにより、レジカゴに設置できるので、極めて容易にレジカゴに設置することができる。特に、買物用バッグＡには、剛性付与部３０、４０が設けられているので、正面部１４の上端と背面部１８の上端をレジカゴの外側に位置させるのが非常に容易となる。
【００５５】
また、着脱部５０がループテープ５２とフックテープ５４とにより構成され、紐部材は用いられていないので、バッグの開口部を閉じた際に紐部材等の部材が邪魔となることがない。また、剛性付与部３０と剛性付与部４０の内側に着脱部５０が設けられているので、着脱部５０を構成するループテープ５２とフックテープ５４とを接着させる際に、剛性付与部３０、４０により非常に容易に接着させることができる。
【００５６】
また、上記の説明では、ループテープ６２とフックテープ６４とループテープ６６が設けられているとしたが、ループテープとフックテープの関係は逆でもよく、ループテープ６２の代わりにフックテープとし、フックテープ６４の代わりにループテープとし、ループテープ６６の代わりにフックテープとしてもよい。
【００５７】
また、巻き付け片部６０は、把手部２４に設けるものとしたが、把手部２２に設けるようにしてもよい。
【図面の簡単な説明】
【００５８】
【図１】本発明の実施例に基づく買物用バッグの前方斜視図である。
【図２】本発明の実施例に基づく買物用バッグの後方斜視図である。
【図３】図１のＰ−Ｐ線で破断した要部を示す要部断面図である。
【図４】買物用バッグをレジカゴに設置した状態を示す斜視図である。
【図５】本発明の実施例に基づく買物用バッグを閉じた状態を示す前方斜視図である。
【図６】買物用バッグを巻回状態とする工程を示す斜視図である。
【図７】買物用バッグを巻回状態とする工程を示す斜視図である。
【図８】買物用バッグを巻回状態とする工程を示す斜視図である。
【図９】買物用バッグの図８に示す状態を下方から見た状態を示す斜視図である。
【符号の説明】
【００５９】
Ａ  買物用バッグ
１０  バッグ本体
１１  袋状部
１２  底面部
１４  正面部
１４ａ、１６ａ  補強布
１６  右側面部
１６ａ、２０ａ  スリーブ状部
１８  背面部
２０  左側面部
２２、２４  把手部
３０、４０  剛性付与部
３２、４２  プレート部
３４、４４  被覆部材
５０  着脱部
５２、６２、６６  ループテープ
５４、６４  フックテープ
６０  巻き付け片部
Ｒ  レジカゴ
【図１】
0003142200.tif 000003
【図２】
0003142200.tif 000004
【図３】
0003142200.tif 000005
【図４】
0003142200.tif 000006
【図５】
0003142200.tif 000007
【図６】
0003142200.tif 000008
【図７】
0003142200.tif 000009
【図８】
0003142200.tif 000010
【図９】
0003142200.tif 000011